(57)【特許請求の範囲】
【請求項１】
パッキンでシールされた測定部を有するサンプルセルと、測定部に前記パッキンを介してプリズム面を当接させた状態で、測定部に注入されたサンプルに投光し、その反射光を受光する光学系ユニットと、この光学系ユニットおよびサンプルセルが取付けられる取付け板とを備え、サンプルの屈折率から糖度を測定する糖度計において、前記取付け板に開口を設け、この取付け板の一方の面に前記開口内に収まる大きさの投・受光穴を有する光学ベースを取り付け、この光学ベースにおける前記投・受光穴の外周にＯリングを設け、このＯリングを介して光学ベースにプリズム面を当接させた状態で光学系ユニットを光学ベースに取り付ける一方、前記取付け板の他方の面にサンプルセルを着脱自在に設けたことを特徴とする糖度計。
【発明の詳細な説明】
【０００１】
【発明の属する技術分野】
この発明は、みかんやグレープフルーツなどの柑橘類をはじめとする果汁の糖度やその他の糖度を、サンプルの屈折率から測定するところの糖度計に関する。
【０００２】
【従来の技術】
従来の糖度計の取付け板５０への取付けは、図６、図７に示すように、パッキン４１でシールされた凹状の測定部４２を一方の面Ａに有するサンプルセル４３に、パッキン４１を介してプリズム４４を押さえ板４５でビス４５ａ止めにより固定し、更に、押さえ板４５の後面から光学ブロック４６をサンプルセル４３にビス止めすることにより、投光部４７、受光部４８を含む光学系ユニット４９をサンプルセル４３に取り付け、サンプルセル４３の他方の面Ｂの取り付け部分４３ａを取付け板５０の開口５１の周囲に当てた状態でサンプルセル４３を取付け板５０にビス止めすることで行われていた。なお、押さえ板４５、光学ブロック４６およびサンプルセル４３における符号ｂはそれぞれビス穴である。５２はサンプル注入部で、測定部４２の一端側に設けた注入口４２ａに連通している。５３はサンプル排出部で、測定部４２の他端側に設けた排出口４２ｂに連通している。また、５４は温度センサの差し込み部である。
【０００３】
【発明が解決しようとする課題】
よって、検出窓であるプリズム面ａが汚れたときには、まず、光学ブロック４６をサンプルセル４３から取り外し、次に、押さえ板４５をサンプルセル４３から取り外すという手間のかかる作業を行わなければプリズム４４を取り出すことはできなかった。
【０００４】
しかも、プリズム面ａの汚れを拭き取ってプリズム面ａの清掃を行った後、元の状態に戻す場合に、光学系ユニット４９を分解したことにより、光学調整を行う必要があった。
【０００５】
この光学調整にはオシロスコープが必要であり作業性が悪い上、光学調整後に標準液で較正し、測定を再開しても、光学系ユニット４９を分解するため、常に同じ測定性能を維持することは難しかった。
【０００６】
この発明は、上述の事柄に留意してなされたもので、その目的は、プリズム面の清掃を容易に行える糖度計を提供することである。
【０００７】
【課題を解決するための手段】
上記目的を達成するため、この発明においては、パッキンでシールされた測定部を有するサンプルセルと、測定部に前記パッキンを介してプリズム面を当接させた状態で、測定部に注入されたサンプルに投光し、その反射光を受光する光学系ユニットと、この光学系ユニットおよびサンプルセルが取付けられる取付け板とを備え、サンプルの屈折率から糖度を測定する糖度計において、前記取付け板に開口を設け、この取付け板の一方の面に前記開口内に収まる大きさの投・受光穴を有する光学ベースを取り付け、この光学ベースにおける前記投・受光穴の外周にＯリングを設け、このＯリングを介して光学ベースにプリズム面を当接させた状態で光学系ユニットを光学ベースに取り付ける一方、前記取付け板の他方の面にサンプルセルを着脱自在に設けたことを特徴としている。
【０００８】
【発明の実施の形態】
以下、この発明の実施の形態を図面を参照しながら説明する。
図１〜図５において、１は酸糖度分析装置の筐体で、この筐体１内には、糖度計２の他に酸度計（図示せず）も収容されている。
【０００９】
３はサンプルセルで、パッキン４でシールされた凹状の測定部５を一方の面Ａに有し、サンプルセル３の他方の面Ｂの左右端にはビス穴８ａが形成されている。７は、後述する取付け板６の他方の面Ｃの側にサンプルセル３を着脱自在に取り付けるための取付け金具で、この取付け金具７の左右端にも前記ビス穴８ａに対応するビス穴８ｂが形成されている。そして、サンプルセル３はビスｄによって取付け金具７に固定されている。９はサンプル注入部で、測定部５の一端側に設けた注入口５ａに連通している。１０は、一端がサンプル注入部９に取り付けられたチューブで、他端は注入器でサンプルの注入が可能なサンプル導入口（図示せず）に接続される。１１はサンプル排出部で、測定部５の他端側に設けた排出口５ｂに連通している。１２は、一端がサンプル排出部１１に取り付けられたチューブで、このチューブ１２の他端は、糖度計２と糖度計２の上流に位置する前記酸度計との間に設けたバルブ（図示せず）に接続される。そして、このバルブは、オーバフロー槽と希釈水タンクにも切り換え可能に接続されている。つまり、前記酸糖度分析装置は、みかんやグレープフルーツなどの柑橘類をはじめとする果汁をサンプルとして前記注入器でサンプルセル３に注入する。この場合、前記バルブは前記オーバフロー槽に接続されており、前記注入器によりサンプルが前記オーバフロー槽にまで至る例えば５ミリリットル程度の一回のサンプル注入により測定が行われ、この測定後は前記バルブを切り換えて前記バルブで計量されたサンプルに希釈水を加えたものを前記酸度計の測定セルに送り込むよう構成されている。また、１２は温度センサ１３の差し込み部である。
【００１０】
そして、前記取付け板６は、他方の面Ｃにサンプルセル３が着脱自在に取り付けられており、一方の面Ｄに光学系ユニット１４が光学ベース１５を介して固定されている。
【００１１】
つまり、この発明は、従来のように取付け板５０の同じ側に光学系ユニット４９とサンプルセル４３を設けるのではなく、光学系ユニット１４およびサンプルセル３以外に、光学ベース１５を設けることにより、取付け板６に、光学系ユニット１４とサンプルセル３とを分離設置できるよう構成し、光学系ユニット１４を分解しなくても、プリズム面ａの清掃を行なえる点に特徴がある。
【００１２】
前記取付け板６は開口１６を有する一方、光学ベース１５は前記開口１６内に収まる大きさの投・受光穴１７を有している。この光学ベース１５には例えば４個のビス穴ｎ（図３参照）が形成されビスｂによって取付け板６の一方の面Ｄに固定される。１８はシール用Ｏリングで、投・受光穴１７の外周に形成された環状溝１９に嵌まり込む。この環状溝１９は、光学ベース１５が取付け板６に当接する面Ｆとは反対側の面Ｇに形成されている。
【００１３】
２０はプリズムで、ホルダ２１内に例えば接着等により保持されている。そして、このホルダ２１は、プリズム２０を保持した状態で、光学ベース１５の面Ｇにビスｔによって位置決めされる。この場合、サンプルセル３も取付け板６に取り付けられた状態では、サンプルセル３の前記測定部５に前記パッキン４を介してプリズム面ａが当接している。
【００１４】
以下、取付け板６に対するサンプルセル３の着脱機構について説明する。前記取付け金具７と一体のサンプルセル３は、測定部５を取付け板６の開口１６に向けた状態で開口１６に嵌め込まれ、閉錠・開錠操作可能な取付手段によって取付け板６に取り付けられる。この取付手段は、例えば、前記取付け金具７の左右にビスｐを用いて固定した一対の締結部材２２，２２と、取付け板６の前記開口１６の左右端に形成した一対の突出片２３，２３と、この突出片２３，２３にビスｑを用いて固定した一対の被締結部材２４，２４とで構成されている。この取付手段は、通常、パチン錠と呼ばれているもので、前記締結部材２２，２２の閉錠操作により、この締結部材２２，２２と被締結部材２４，２４とが連結され、これによりサンプルセル３が取付け板６に測定可能な状態に装着される。すなわち、測定部３にパッキン４を介してプリズム面ａを当接させた状態にでき、サンプルの屈折率から糖度を測定できる。この場合、測定部３に注入されたサンプルに光学系ユニット１４の光源（例えばＬＥＤ）２５を一対のレンズ２６，２７を介して投光し、その反射光２８を拡散させるレンズ２９とスリット３０を通して反射光２８が例えばＣＣＤから構成される受光部３１に入射し、糖度が測定される。
【００１５】
一方、プリズム面ａの清掃時には、光学系ユニット１４を分解することなく、光学系ユニット１４は取付け板６に固定されたままの状態で、前記締結部材２２，２２の開錠操作により、この締結部材２２，２２を被締結部材２４，２４の連結が解除され、サンプルセル３が取付け金具７とともに取付け板６から取り外すことができる。
【００１６】
このように、取付け板６に光学ベース１５を固定し、この光学ベース１５にＯリング１８を介して光学系ユニット１４を固定する一方、取付け板６の光学系ユニット１４取り付け面とは反対側の位置から取付け板６にパッキン４を介してサンプルセル３を前記閉錠・開錠操作可能な取付手段により取り付けるように構成したので、使用するにしたがって光学系ユニット１４のプリズム面ａが汚れたとき、簡易に前記閉錠・開錠操作可能な取付手段によりサンプルセル３を取り外して、プリズム面ａの汚れを拭き取ることができる。そして、従来のように光学系ユニットを分解する必要はないので、プリズム面ａを清掃後、サンプルセル３を元の状態に戻すだけで、光学調整を行うことなく、標準液で較正し、測定を再開できる。つまり、この発明では、光学系ユニット１４を分解しないため、常に同じ測定性能を維持することができる。
【００１７】
【発明の効果】
上述のように、取付け板に光学ベースを固定し、この光学ベースにＯリングを介して光学系ユニットを固定する一方、取付け板の光学系ユニット取り付け面とは反対側の位置から取付け板にパッキンを介してサンプルセルを着脱自在に設けたので、使用するにしたがって光学系ユニットのプリズム面が汚れたとき、簡易なサンプルセルの取り外しにより、プリズム面の汚れを拭き取ることができる。そして、従来のように光学系ユニットを分解する必要はないので、プリズム面を清掃後、サンプルセルを元の状態に戻すだけで、光学調整を行うことなく、標準液で較正し、測定を再開でき、しかも、光学系ユニットを分解しないため、常に同じ測定性能を維持することができ、測定精度を向上できる。
【図面の簡単な説明】
【図１】この発明の一実施形態の取り付け状態を示す斜視図である。
【図２】上記実施形態における全体構成説明図である。
【図３】上記実施形態における取り付け状態を示す分解斜視図である。
【図４】上記実施形態における要部構成説明図である。
【図５】上記実施形態における測定原理を示す図である。
【図６】従来例を示す全体構成説明図である。
【図７】従来例における取り付け状態を示す分解斜視図である。
【符号の説明】
３…サンプルセル、５…測定部、６…取付け板、７…取付け金具、１４…光学系ユニット、１５…光学ベース、１６…開口、１７…投・受光穴、１８…Ｏリング、２０…プリズム、２２…締結部材、２３…突出片、２４…被締結部材、２５…光源、３１…受光部、ａ…プリズム面、Ｃ…取付け板の他方の面、Ｄ…取付け板の一方の面。
【図１】
0003814077.tif 000002
【図２】
0003814077.tif 000003
【図３】
0003814077.tif 000004
【図４】
0003814077.tif 000005
【図５】
0003814077.tif 000006
【図６】
0003814077.tif 000007
【図７】
0003814077.tif 000008